(57)【要約】【解決手段】本発明は、表示具４Ａ〜４Ｆが取り付けられる表示部材３、９を、枠部４ａ、９ａと該枠部内に配置された網状部３ｂ、９ｂとにより、或いは、表示部材全体を網状部として構成するとともに、表示具４を、網状部３ｂ、９ｂに取り付けるようにした表示用品Ｈ１〜Ｈ５に関するものである。【効果】表示具が取り付けられる表示部材を、枠部と該枠部内に配置された網状部とにより、或いは、表示部材全体を網状部として構成するとともに、表示具を、網状部に取り付けるようにしたので、表示部材に風が、吹き当たっても、風が、網状部を吹き抜けるので、表示部材に作用する風圧を低減することができ、従って、表示用品の移動や倒れを防止することができるとともに、土嚢やコンクリートブロック等の重量物を設置する必要がなく、表示用品の設置作業の作業性を向上することができる。【選択図】図１
2009256996.tif 000002
【特許請求の範囲】
【請求項１】
表示具が取り付けられる表示部材が、枠部と該枠部内に配置された網状部とにより、或いは、表示部材全体が網状部として構成されているとともに、表示具が、網状部に取り付けられていることを特徴とする表示用品。
【請求項２】
表示具自体に透孔が穿設されていることを特徴とする請求項１に記載の表示用品。
【発明の詳細な説明】
【技術分野】
【０００１】
本発明は、交通標識や工事標識や広告等の種々の表示が可能な表示用品に関するものである。
【背景技術】
【０００２】
従来、交通標識や工事標識や広告等の種々の表示がなされた板材を、山形状に配置した表示用品が、一例として、特許文献１に開示されている。
【０００３】
【特許文献１】特開平８−２１８３３２号公報
【発明の開示】
【発明が解決しようとする課題】
【０００４】
従来の表示用品においては、交通標識や工事標識や広告等の種々の表示がなされる部分は、透孔等が穿設されていない無垢な板材として形成されているために、風の通り抜けができず、弱い風でも、表示用品が移動したり、倒れるという問題があった。
【０００５】
また、表示用品の移動や倒れを防止するために、板材の取付枠に、土嚢やコンクリートブロック等の重量物を載置しなければならず、従って、表示用品の設置作業の作業性が悪いという問題があった。
【０００６】
更に、車両のヘッドライト等の外からの光が、表示用品の板材に当たると、文字や記号等の表示部以外の板部からの光の反射により、表示部が見難くなるという問題があった。
【０００７】
更にまた、表示用品の不透明な板材により、表示用品の後方視界が遮断されることになるので、表示用品の後方にいる人や動物等の存在を、事前に確認することができず、人や動物等の飛び出しを予測することができず、事故発生を招き易いという問題があった。特に、表示用品の板材が大きい場合には、表示用品の設置自体が、安全上の大きな問題となる。
【０００８】
本発明の目的は、上述した従来の表示用品が有する課題を解決することにある。
【課題を解決するための手段】
【０００９】
本発明は、上述した目的を達成するために、第１には、表示具が取り付けられる表示部材を、枠部と枠部内に配置された網状部とにより、或いは、表示部材全体を網状部により構成するとともに、表示具を、網状部に取り付けたものであり、第２には、表示具自体に透孔を穿設したものである。
【発明の効果】
【００１０】
表示具が取り付けられる表示部材を、枠部と枠部内に配置された網状部とにより、或いは、表示部材全体を網状部により構成するとともに、表示具を、網状部に取り付けたので、表示部材に風が、吹き当たっても、風が、網状部を吹き抜けるので、表示部材に作用する風圧を低減することができ、従って、表示用品の移動や倒れを防止することができるとともに、土嚢やコンクリートブロック等の重量物を設置する必要がなく、表示用品の設置作業の作業性を向上することができる。
【００１１】
表示具が取り付けられる表示部材を、枠部と枠部内に配置された網状部とにより、或いは、表示部材全体を網状部により構成するとともに、表示具を、網状部に取り付けたので、ヘッドライト等の外からの光が、表示用品に当たって反射し、表示部材に表示された文字や記号等、或いは、文字や記号等として形成された表示部材が見難くなるようなことを防止することができる。
【００１２】
表示具が取り付けられる表示部材を、枠部と枠部内に配置された網状部とにより、或いは、表示部材全体を網状部により構成するとともに、表示具を、網状部に取り付けたので、表示用品の後方視界の遮断が抑制され、従って、表示用品の後方にいる人や動物等の存在を、事前に確認することができ、事故発生を抑制することができる。
【００１３】
表示具自体に透孔を穿設したので、表示具に風が吹き当たっても、風が、表示具に穿設された透孔を吹き抜けることができるので、表示用品に作用する風圧を更に低減することができる。
【実施例】
【００１４】
以下に、本発明の実施例について説明するが、本発明の趣旨を越えない限り何ら、本実施例に限定されるものではない。
【００１５】
図１〜図４を用いて、本発明の表示用品Ｈ１について説明する。
【００１６】
表示用品Ｈ１は、半円筒の天部材１と、ボルト・ナット等の適当な固着具２により、天部材１に、その上端部が、略ハの字状に取り付けられた一対の表示部材３とから構成されている。
【００１７】
表示部材３は、額縁状の枠部３ａと枠部３ａ内に形成された網状部３ｂとから構成されている。なお、３ａ１は、枠部３ａを形成する上部水平部３ａ’に穿設されたボルト挿入孔である。なお、天部材１への表示部材３の取り付けが、ボルト・ナット以外の場合、例えば、接着剤による場合には、このようなボルト挿入孔３ａ１は省略されることになる。
【００１８】
額縁状の枠部３ａへの網状部３ｂの取り付けは、公知のように、枠部３ａの内周面に、所定の間隔で、舌片を形成し、舌片を、網状部３ｂの周縁部に位置する所定の網目に挿通して折り曲げることにより、網状部３ｂを、額縁状の枠部３ａに取り付けることができ、また、舌片に形成された透孔に、網状部３ｂの周縁部に位置する、網状部３ｂを構成する線材を挿通し、線材同士を結束することにより、網状部３ｂを、額縁状の枠部３ａに取り付けることができる。このような取付手段に限定されることなく、公知の種々の取付手段を採用することにより、枠部３ａに網状部３ｂを取り付けることができるが、枠部３ａと網状部３ｂを、合成樹脂で一体成形することが好ましい。
【００１９】
４Ａは、表示部材３の網状部３ｂに取り付けられる表示具であり、表示具４Ａは板材で形成されており、板材に、文字や記号等を記すこともでき、或いは、表示具４Ａ自体を、文字や記号等に形成することもできる。
【００２０】
表示具４Ａの網状部３ｂへの取り付けには、公知の種々の取付手段を採用することができる。例えば、表示具４Ａの所定の周辺部に、例えば、４つの角部に、ボルト孔４ａを穿設するとともに、網状部３ｂの網目より大きな、中央部にボルト孔５ａが穿設された座金５を用意する。そして、網状部３ｂの一方の面の所定の領域に、表示具４Ａを当接するとともに、表示具４Ａが当接された網状部３ｂの一方の面の反対側に位置する面に、座金５を配置し、その後、ボルト６を、表示具４Ａに穿設されたボルト孔４ａ、網状部３ｂの所定の網目及び座金５のボルト孔５ａの順に挿通し、その後、ボルト６にナット７を螺合することにより、表示具４Ａを、網状部３ｂに取り付けることができる。
【００２１】
また、表示具４Ａを、熱溶融性の合成樹脂で成形し、熱溶融性の合成樹脂で成形された表示具４Ａの所定箇所を、バーナー等の適当な加熱手段により溶融し、その後、表示具４Ａを、網状部３ｂに圧接し、溶融した樹脂を硬化させることにより、表示具４Ａを、網状部３ｂに取り付けることもできるし、また、接着剤により、表示具４Ａを、網状部３ｂに取り付けることもできる。
【００２２】
更に、図５に示されているように、表示具４Ａの裏面角部等に、金属製等の塑性変形可能な舌片４ｂの一端を取着し、舌片４ｂの自由端を、網状部３ｂの所定の網目に挿通した後、図６に示されているように、舌片４ｂを折り曲げて、網状部３ｂを構成する線材を挟持することにより、表示具４Ａを、網状部３ｂに取り付けることもできる。
【００２３】
なお、上述した実施例には、表示部材３が、額縁状の枠部３ａと網状部３ｂにより形成されている例が示されているが、表示部材３全体を、網状部３ｂにより構成することもできる。
【００２４】
上述したように、表示部材３を、額縁状の枠部３ａと額縁状の枠部３ａ内に配置された網状部３ｂとにより、或いは、表示部材３全体を網状部３ｂとして構成することにより、表示具４Ａが配設された表示用品Ｈ１に風が吹き当たっても、風が、網状部３ｂを吹き抜けることができるので、表示用品Ｈ１に作用する風圧を低減することができ、従って、表示用品Ｈ１の移動や倒れを防止することができるとともに、土嚢やコンクリートブロック等の重量物を設置する必要がなく、表示用品の設置作業の作業性を向上することができる。
【００２５】
また、表示部材３を、額縁状の枠部３ａと額縁状の枠部３ａ内に配置された網状部３ｂとにより、或いは、表示部材３全体を網状部３ｂとして構成することにより、ヘッドライト等の外からの光が、従来の表示用品のように、板材に当たって反射し、板材に表示された文字や記号等が見難くなるようなことを防止することができる。
【００２６】
更に、表示部材３を、額縁状の枠部３ａと額縁状の枠部３ａ内に配置された網状部３ｂとにより、或いは、表示部材３全体を網状部３ｂとして構成することにより、表示用品Ｈ１の後方視界の遮断が抑制され、従って、表示用品Ｈ１の後方にいる人や動物等の存在を、事前に確認することができ、よって、事故発生を抑制することができる。
【００２７】
なお、表示具４Ａを、一方の表示部材３のみに取り付けることもできるが、両方の表示部材３に取り付けることもできる。
【００２８】
次に、図７及び図８を用いて、別の実施例の表示用品Ｈ２について説明する。  
【００２９】
表示用品Ｈ２は、水平基部枠８ａと水平基部枠８ａに立設された相対する垂直棒状体８ｂと上端水平棒状体８ｃとを有する取付台８と、取付台８に取り付けられる上述した表示部材３と同様の表示部材９とから構成されている。なお、１０は、必要に応じて、取付台８の水平基部枠８ａに取り付けられたキャスターである。
【００３０】
表示部材９は、額縁状の枠部９ａと額縁状の枠部９ａ内に配置された網状部９ｂとから構成されており、網状部９ｂには、上述した表示具４Ａと同様の表示具４Ｂ、４Ｃが取り付けられている。表示部材９は、取付台８を構成する垂直棒状体８ｂと上端水平棒状体８ｃとに、公知の適当な取付手段により、略垂直に取り付けられている。
【００３１】
次に、図９〜図１１を用いて、更に別の実施例の表示用品Ｈ３について説明する。
【００３２】
本実施例においては、額縁状の枠部１２ａと枠部１２ａ内に配置された網状部１２ｂとからなる、図１０に示されているような、樹脂被覆された針金等の金属線で略平板状に形成された網部材１２を、図１１に示されているように、その中心線に沿って、山形状に折り曲げて、表示部材１３を形成し、表示部材１３の網状部１２ｂに、上述したと同様の取付手段により、表示具４Ｄを取り付けることにより、図９に示されているように、表示用品Ｈ３が形成されている。
【００３３】
なお、枠部１２ａと網状部１２ｂとからなる網部材１２を、合成樹脂で、平板状に一体成形し、山形状に折り曲げる際に、稜線部分となる中心線部分を、バーナー等の適当な加熱手段により加熱した後、山形状に折り曲げ、その後、冷却することにより、表示部材１３を形成することができる。なお更に、このような山形状の表示部材１３を、合成樹脂で一体成形することもできる。
【００３４】
図１２には、なお更に別の実施例の表示用品Ｈ４が示されており、この実施例においても、表示部材１４は、額縁状の枠部１４ａと枠部１４ａ内に配置された網状部１４ｂとから形成されており、網状部１４ｂが、枠部１４ａの相対する水平部１４ａ１と略平行な１本以上の水平部１４ｂ１と、枠部１４ａの相対する垂直部１４ａ２と略平行な１本以上（本実施例では、２本）の垂直部１４ｂ２とから構成されている。
【００３５】
枠部１４ａと網状部１４ｂとからなる表示部材１４を、ブロー成形や射出成形等により、合成樹脂で一体成形し、一方の表示部材１４の枠部１４ａの上方に位置する水平部１４ａ１と、もう一方の表示部材１４の枠部１４ａの上方に位置する水平部１４ａ１とを、ヒンジ等の適当な連結具１４ｃにより連結するとともに、表示部材１４の網状部１４ｂに、上述したと同様の取付手段により、表示具４Ｅを取り付けることにより、表示用品Ｈ４が形成されることになる。
【００３６】
図１３に示されている更なる別の実施例の表示用品Ｈ５は、図１２に示されている実施例において、一方の表示部材１４を、筒状パイプ等で形成された略Ｕ字状の脚部１４ｄとして形成し、脚部１４ｄの上端部を、もう一方の表示部材１４の枠部１４ａの上方に位置する水平部１４ａ１に、枢着するとともに、もう一方の表示部材１４の網状部１４ｂに、上述したと同様の取付手段により、表示具４Ｅを取り付けることにより、表示用品Ｈ５が形成されることになる。
【００３７】
図１４には、表示具４Ｆの一例として、表示具４Ｆに、交通標識や工事標識や広告等の種々の表示としての矢印４ｃが表示されている例が示されている。この実施例におては、表示具４Ｆの矢印４ｃ等の表示部以外の領域４’に、多数の透孔４ｄを穿設したものである。このように、表示具４Ｆの表示部以外の領域４’に、多数の透孔４ｄを穿設したことにより、表示具４Ｆに風が吹き当たっても、風が、表示具４Ｆの表示部以外の領域４’に穿設された透孔４ｄを吹き抜けることができるので、表示用品Ｈ１〜Ｈ５に作用する風圧を更に低減することができる。なお、矢印４ｃ等の表示部にも、交通標識や工事標識や広告等の種々の表示の表示機能を損なわない範囲内において、透孔を穿設することができる。
【図面の簡単な説明】
【００３８】
【図１】図１は、本発明の表示用品の斜視図である。
【図２】図２は、本発明の表示用品を構成する表示部材の斜視図である。
【図３】図３は、本発明の表示用品を構成する表示部材への表示具の取付手段を説明するための部分側面図である。
【図４】図４は、本発明の表示用品の側面図である。
【図５】図５は、本発明の表示用品を構成する表示部材への表示具の他の取付手段を説明するための表示具の斜視図である。
【図６】図６は、図５に示されている表示具が、表示部材に取り付けられた状態の部分拡大斜視図である。
【図７】図７は、本発明の別の実施例の表示用品の正面図である。
【図８】図８は、図７に示されている表示用品の部分拡大図である。
【図９】図９は、本発明の更に別の実施例の表示用品を網部材の斜視図である。
【図１０】図１０は、図９に示されている網部材を山形状に折り曲げた表示部材の斜視図である。
【図１１】図１１は、図１０に示されている表示部材に、表示具が取り付けられた状態の斜視図である。
【図１２】図１２は、本発明のなお更に別の実施例の表示用品の斜視図である。
【図１３】図１３は、本発明の更なる別の実施例の表示用品の斜視図である。
【図１４】図１４は、本発明の表示用品を構成する別の実施例の表示具の斜視図である。
【符号の説明】
【００３９】
Ｈ１〜Ｈ５・・・・・・・・・・・・・・・・表示用品
１・・・・・・・・・・・・・・・・・・・・天部材
３、９・・・・・・・・・・・・・・・・・・表示部材
４Ａ〜４Ｆ・・・・・・・・・・・・・・・・表示具
３ｂ、９ｂ、１２ｂ、１４ｂ・・・・・・・・網状部
【図１】
2009256996.tif 000003
【図２】
2009256996.tif 000004
【図３】
2009256996.tif 000005
【図４】
2009256996.tif 000006
【図５】
2009256996.tif 000007
【図６】
2009256996.tif 000008
【図７】
2009256996.tif 000009
【図８】
2009256996.tif 000010
【図９】
2009256996.tif 000011
【図１０】
2009256996.tif 000012
【図１１】
2009256996.tif 000013
【図１２】
2009256996.tif 000014
【図１３】
2009256996.tif 000015
【図１４】
2009256996.tif 000016